(57)【要約】  共有通信媒体上でのオペレータ識別のための技法が開示される。アクセスポイントは、アクセスポイントに関連付けられたオペレータのためのオペレータ識別子を決定し、オペレータ識別子が組み込まれたオペレータ識別子基準信号を搬送するようにリソースエレメントのセットを構成し得る。アクセスポイントは、次いで、構成されたリソースエレメントのセットを使用してオペレータ識別子基準信号を送信し得る。アクセス端末は、リソースエレメントのセット上でアクセスポイントからのシグナリングを受信し、オペレータ識別子基準信号についてシグナリングをモニタし得る。アクセス端末は、次いで、オペレータ識別子基準信号に基づいて、アクセスポイントに関連付けられたオペレータのためのオペレータ識別子を決定し得る。
2018530948.tif 000002
【特許請求の範囲】
【請求項１】
通信方法であって、
アクセスポイントに関連付けられたオペレータのためのオペレータ識別子を決定することと、
前記オペレータ識別子が組み込まれたオペレータ識別子基準信号を搬送するようにリソースエレメントのセットを構成することと、
前記アクセスポイントから、前記構成されたリソースエレメントのセットを使用して前記オペレータ識別子基準信号を送信することと
を備える、方法。
【請求項２】
前記オペレータ識別子は、公衆陸上移動ネットワーク識別子（ＰＬＭＮ ＩＤ）に対応する、請求項１に記載の方法。
【請求項３】
前記リソースエレメントのセットは、強化型発見基準信号（ｅＤＲＳ）サブフレームの一部を形成する、請求項１に記載の方法。
【請求項４】
前記構成することは、前記オペレータ識別子に基づいて前記リソースエレメントのセットを選択することを備える、請求項１に記載の方法。
【請求項５】
前記選択することは、前記アクセスポイントに関連付けられたセル識別子にさらに基づく、請求項４に記載の方法。
【請求項６】
前記構成することは、前記オペレータ識別子に基づいて前記リソースエレメントのセットをスクランブルすることを備える、請求項１に記載の方法。
【請求項７】
前記スクランブルすることは、前記アクセスポイントに関連付けられたセル識別子にさらに基づく、請求項６に記載の方法。
【請求項８】
前記構成することは、
別の基準信号のために前記リソースエレメントのセットをスケジューリングすることと、
前記オペレータ識別子基準信号のために前記スケジューリングされたリソースエレメントのセットを再利用することと
を備える、請求項１に記載の方法。
【請求項９】
前記別の基準信号は、チャネル状態情報基準信号（ＣＳＩ−ＲＳ）に対応する、請求項８に記載の方法。
【請求項１０】
前記リソースエレメントのセットは、対応するリソースブロックに少なくとも８個のリソースエレメントを備える、請求項１に記載の方法。
【請求項１１】
通信装置であって、
少なくとも１つのプロセッサと、
前記少なくとも１つのプロセッサに結合された少なくとも１つのメモリと、前記少なくとも１つのプロセッサおよび前記少なくとも１つのメモリは、
アクセスポイントに関連付けられたオペレータのためのオペレータ識別子を決定することと、
前記オペレータ識別子が組み込まれたオペレータ識別子基準信号を搬送するようにリソースエレメントのセットを構成することと
を行うように構成され、
前記アクセスポイントから、前記構成されたリソースエレメントのセットを使用して前記オペレータ識別子基準信号を送信するように構成された少なくとも１つのトランシーバと
を備える、装置。
【請求項１２】
前記オペレータ識別子は、公衆陸上移動ネットワーク識別子（ＰＬＭＮ ＩＤ）に対応する、請求項１１に記載の装置。
【請求項１３】
前記少なくとも１つのプロセッサおよび前記少なくとも１つのメモリは、前記オペレータ識別子に基づいて前記リソースエレメントのセットを選択するように構成される、請求項１１に記載の装置。
【請求項１４】
前記少なくとも１つのプロセッサおよび前記少なくとも１つのメモリは、前記オペレータ識別子に基づいて前記リソースエレメントのセットをスクランブルするように構成される、請求項１１に記載の装置。
【請求項１５】
前記少なくとも１つのプロセッサおよび前記少なくとも１つのメモリは、
別の基準信号のために前記リソースエレメントのセットをスケジューリングすることと、
前記オペレータ識別子基準信号のために前記スケジューリングされたリソースエレメントのセットを再利用することと
を行うように構成される、請求項１１に記載の装置。
【請求項１６】
通信方法であって、
リソースエレメントのセット上でアクセスポイントからのシグナリングを受信することと、
オペレータ識別子基準信号について前記シグナリングをモニタすることと、
前記オペレータ識別子基準信号に基づいて、前記アクセスポイントに関連付けられたオペレータのためのオペレータ識別子を決定することと
を備える、方法。
【請求項１７】
前記オペレータ識別子は、公衆陸上移動ネットワーク識別子（ＰＬＭＮ ＩＤ）に対応する、請求項１６に記載の方法。
【請求項１８】
前記リソースエレメントのセットは、強化型発見基準信号（ｅＤＲＳ）サブフレームの一部を形成する、請求項１６に記載の方法。
【請求項１９】
前記モニタすることは、好ましいオペレータ識別子に基づいて、モニタするための前記リソースエレメントのセットを選択することを備える、請求項１６に記載の方法。
【請求項２０】
前記選択することは、前記アクセスポイントに関連付けられたセル識別子にさらに基づく、請求項１９に記載の方法。
【請求項２１】
前記モニタすることは、好ましいオペレータ識別子に基づいて前記リソースエレメントのセット上の前記シグナリングをデスクランブルすることを備える、請求項１６に記載の方法。
【請求項２２】
前記デスクランブルすることは、前記アクセスポイントに関連付けられたセル識別子にさらに基づく、請求項２１に記載の方法。
【請求項２３】
前記モニタすることは、
別の基準信号のためにスケジューリングされるものとして前記リソースエレメントのセットを識別することと、
前記オペレータ識別子基準信号について前記スケジューリングされたリソースエレメントのセットをモニタすることと
を備える、請求項１６に記載の方法。
【請求項２４】
前記別の基準信号は、チャネル状態情報基準信号（ＣＳＩ−ＲＳ）に対応する、請求項２３に記載の方法。
【請求項２５】
前記リソースエレメントのセットは、対応するリソースブロックに少なくとも８個のリソースエレメントを備える、請求項１６に記載の方法。
【請求項２６】
通信装置であって、
リソースエレメントのセット上でアクセスポイントからのシグナリングを受信するように構成された少なくとも１つのトランシーバと、
少なくとも１つのプロセッサと、
前記少なくとも１つのプロセッサに結合された少なくとも１つのメモリと
を備え、前記少なくとも１つのプロセッサおよび前記少なくとも１つのメモリは、
オペレータ識別子基準信号について前記シグナリングをモニタすることと、
前記オペレータ識別子基準信号に基づいて、前記アクセスポイントに関連付けられたオペレータのためのオペレータ識別子を決定することと
を行うように構成された、装置。
【請求項２７】
前記オペレータ識別子は、公衆陸上移動ネットワーク識別子（ＰＬＭＮ ＩＤ）に対応する、請求項２６に記載の装置。
【請求項２８】
前記少なくとも１つのプロセッサおよび前記少なくとも１つのメモリは、好ましいオペレータ識別子に基づいて、モニタするための前記リソースエレメントのセットを選択するように構成される、請求項２６に記載の装置。
【請求項２９】
前記少なくとも１つのプロセッサおよび前記少なくとも１つのメモリは、好ましいオペレータ識別子に基づいて前記リソースエレメントのセット上の前記シグナリングをデスクランブルするように構成される、請求項２６に記載の装置。
【請求項３０】
前記少なくとも１つのプロセッサおよび前記少なくとも１つのメモリは、
別の基準信号のためにスケジューリングされるものとして前記リソースエレメントのセットを識別することと、
前記オペレータ識別子基準信号について前記スケジューリングされたリソースエレメントのセットをモニタすることと
を行うように構成される、請求項２６に記載の装置。
【発明の詳細な説明】
【関連出願の相互参照】
【０００１】
[0001]  本願は、２０１５年８月３１日出願の「Operator Identification for Co-Existence on a Shared Communication Medium」と題する米国仮出願第６２／２１２，１３７号の利益を主張し、それは、その譲受人に譲渡され、その全体が参照によって本明細書に明確に組み込まれている。
【導入】
【０００２】
[0002]  本開示の態様は、概して、電気通信に関し、より具体的には、共有通信媒体（shared communication medium）および同様のもの上での動作に関する。
【０００３】
[0003]  ワイヤレス通信システムは、音声、データ、マルチメディア、等のような、様々なタイプの通信コンテンツを提供するために広く配備されている（widely deployed）。典型的なワイヤレス通信システムは、利用可能なシステムリソース（例えば、帯域幅、送信電力、等）を共有することによって、複数のユーザとの通信をサポートすることが可能な多元接続システムである。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびその他のものを含む。これらのシステムは、第３世代パートナーシッププロジェクト（３ＧＰＰ（登録商標））によって提供されているロングタームエボリューション（ＬＴＥ（登録商標））、第３世代パートナーシッププロジェクト２（３ＧＰＰ２）によって提供されているウルトラモバイルブロードバンド（ＵＭＢ）およびエボリューションデータオプティマイズド（ＥＶ−ＤＯ）、米国電気電子学会（ＩＥＥＥ）によって提供されている８０２．１１、等のような、仕様書に準拠してしばしば配備される。
【０００４】
[0004]  セルラネットワークでは、「マクロセル」アクセスポイントは、ある特定の地理的エリアにわたる多数のユーザへの接続性およびカバレッジを提供する。マクロネットワークの配備は、地理的領域にわたって良好なカバレッジを与えるために、慎重に計画、設計、およびインプリメントされる。住宅およびオフィスビルのためのような、屋内または他の特定の地理的カバレッジを改善するために、追加の「スモールセル」アクセスポイント、典型的には低電力アクセスポイント（low-power access points）が、従来のマクロネットワークを補うために最近配備され始めた。スモールセルアクセスポイントは、また、漸増的な（incremental）容量の増大、より豊かなユーザエクスペリエンス、等も提供することができる。
【０００５】
[0005]  スモールセルのＬＴＥ動作は、例えば、ワイヤレスローカルエリアネットワーク（ＷＬＡＮ）技術によって使用されるＵ−ＮＩＩ（Unlicensed National Information Infrastructure）帯域のようなアンライセンスド（unlicensed）周波数スペクトルへと拡張されている。このスモールセルのＬＴＥ動作の拡張は、スペクトル効率、したがって、ＬＴＥシステムの容量を増加させるように設計されている。しかしながら、それは、典型的には同じアンライセンスド帯域を利用する他の無線アクセス技術（ＲＡＴ）、最も著名なものでは「Ｗｉ−Ｆｉ」と一般に称されるＩＥＥＥ８０２．１１ｘのＷＬＡＮ技術の動作と共存することが必要であり得る。
【発明の概要】
【０００６】
[0006]  以下の概要は、本開示の様々な態様の説明を助けるためだけに提供される概説であり、それら態様の限定ではなく、その例示のためだけに提供されている。
【０００７】
[0007]  １つの例において、通信方法が開示される。前記方法は、例えば、アクセスポイントに関連付けられたオペレータのためのオペレータ識別子を決定することと、前記オペレータ識別子が組み込まれたオペレータ識別子基準信号（operator identifier reference signal）を搬送するようにリソースエレメントのセットを構成すること（configuring）と、前記アクセスポイントから、前記構成されたリソースエレメントのセットを使用して前記オペレータ識別子基準信号を送信することと、を含み得る。
【０００８】
[0008]  別の例において、通信装置が開示される。前記装置は、例えば、少なくとも１つのプロセッサと、前記少なくとも１つのプロセッサに結合された少なくとも１つのメモリと、少なくとも１つのトランシーバとを含み得る。前記少なくとも１つのプロセッサおよび前記少なくとも１つのメモリは、アクセスポイントに関連付けられたオペレータのためのオペレータ識別子を決定することと、前記オペレータ識別子が組み込まれたオペレータ識別子基準信号を搬送するようにリソースエレメントのセットを構成することと、を行うように構成され得る。前記少なくとも１つのトランシーバは、前記アクセスポイントから、前記構成されたリソースエレメントのセットを使用して前記オペレータ識別子基準信号を送信することを行うように構成され得る。
【０００９】
[0009]  別の例において、別の通信装置が開示される。前記装置は、例えば、アクセスポイントに関連付けられたオペレータのためのオペレータ識別子を決定するための手段と、前記オペレータ識別子が組み込まれたオペレータ識別子基準信号を搬送するようにリソースエレメントのセットを構成するための手段と、前記アクセスポイントから、前記構成されたリソースエレメントのセットを使用して前記オペレータ識別子基準信号を送信するための手段と、を含み得る。
【００１０】
[0010]  別の例において、一時的または非一時的なコンピュータ可読媒体が開示される。前記コンピュータ可読媒体は、例えば、アクセスポイントに関連付けられたオペレータのためのオペレータ識別子を決定するためのコードと、前記オペレータ識別子が組み込まれたオペレータ識別子基準信号を搬送するようにリソースエレメントのセットを構成するためのコードと、前記アクセスポイントから、前記構成されたリソースエレメントのセットを使用して前記オペレータ識別子基準信号を送信するためのコードと、を含み得る。
【００１１】
[0011]  別の例において、別の通信方法が開示される。前記方法は、例えば、リソースエレメントのセット上でアクセスポイントからのシグナリングを受信することと、オペレータ識別子基準信号について前記シグナリングをモニタすることと、前記オペレータ識別子基準信号に基づいて、前記アクセスポイントに関連付けられたオペレータのためのオペレータ識別子を決定することと、を含み得る。
【００１２】
[0012]  別の例において、別の通信装置が開示される。前記装置は、例えば、少なくとも１つのトランシーバと、少なくとも１つのプロセッサと、前記少なくとも１つのプロセッサに結合された少なくとも１つのメモリとを含み得る。前記少なくとも１つのトランシーバは、リソースエレメントのセット上でアクセスポイントからのシグナリングを受信するように構成され得る。前記少なくとも１つのプロセッサおよび前記少なくとも１つのメモリは、オペレータ識別子基準信号について前記シグナリングをモニタすることと、前記オペレータ識別子基準信号に基づいて、前記アクセスポイントに関連付けられたオペレータのためのオペレータ識別子を決定することと、を行うように構成され得る。
【００１３】
[0013]  別の例において、別の通信装置が開示される。前記装置は、例えば、リソースエレメントのセット上でアクセスポイントからのシグナリングを受信するための手段と、オペレータ識別子基準信号について前記シグナリングをモニタするための手段と、前記オペレータ識別子基準信号に基づいて、前記アクセスポイントに関連付けられたオペレータのためのオペレータ識別子を決定するための手段と、を含み得る。
【００１４】
[0014]  別の例において、別の一時的または非一時的なコンピュータ可読媒体が開示される。前記コンピュータ可読媒体は、例えば、リソースエレメントのセット上でアクセスポイントからのシグナリングを受信するためのコードと、オペレータ識別子基準信号について前記シグナリングをモニタするためのコードと、前記オペレータ識別子基準信号に基づいて、前記アクセスポイントに関連付けられたオペレータのためのオペレータ識別子を決定するためのコードと、を含み得る。
【００１５】
[0015]  添付の図面は、本開示の様々な態様の説明を助けるために提示され、それら態様の限定ではなく、その例示のためだけに提供されている。
【図面の簡単な説明】
【００１６】
【図１】[0016]  例となるワイヤレスネットワーク環境を例示するシステムレベルの図。
【図２】[0017]  例となる仮想の時分割複信（ＴＤＤ）フレーム構造を例示する図。
【図３】[0018]  例となるオペレータ識別子基準信号（ＯＲＳ：Operator Identifier Reference Signal）構成を例示するリソースマップ図。
【図４】[0019]  別の例となるＯＲＳ構成を例示する別のリソースマップ図。
【図５】[0020]  本明細書で提供されるＯＲＳシグナリングによって容易にされるアクセス端末動作の例となる態様を例示するシグナリングフロー図。
【図６】[0021]  本明細書で説明される技法にしたがう、例となる通信の方法を例示するフロー図。
【図７】[0022]  本明細書で説明される技法にしたがう、別の例となる通信の方法を例示するフロー図。
【図８】[0023]  より詳細にアクセスポイントおよびアクセス端末の例となるコンポーネントを例示するデバイスレベルの図。
【図９】[0024]  一連の相互に関連する機能モジュールとして表された例となる装置を例示する図。
【図１０】[0025]  一連の相互に関連する機能モジュールとして表された例となる装置を例示する図。
【詳細な説明】
【００１７】
[0026]  本開示は、概して、共有通信媒体上での動作に関する。共有通信媒体上でのネットワーク検出を容易にすることを助けるために、公衆陸上移動ネットワーク識別子（ＰＬＭＮ ＩＤ：Public Land Mobile Network Identifier）または同様のもののようなオペレータ識別子が、本明細書ではオペレータ識別子基準信号（ＯＲＳ：Operator Identifier Reference Signal）と称されるものを介して送信され得る。ＯＲＳは、アクセス端末または他の近隣デバイスが、システム情報ブロック（ＳＩＢ）のような他のシステム情報を完全には復号する必要なく、オペレータ配備に基づいてアクセスポイントを判別することを助け得る。ＯＲＳは、信頼できる検出を促進するために異なる方法で時間および周波数にわたって散在している（spread）こともある。ＯＲＳは、また、オペレータ固有またはアクセスポイント固有のベースで（on an operator- or access point-specific basis）配置（be positioned）、スクランブル、またはその組合せが行われ得る。
【００１８】
[0027]  本開示のより特定の態様は、以下の説明および例示目的で提供される様々な例に向けられた関連する図において提供される。代替の態様が、本開示の範囲から逸脱することなく考案され得る。加えて、本開示の周知の態様は、より関連する詳細を曖昧にしないように、詳細には説明されないこともあるか、または省略されることもある。
【００１９】
[0028]  当業者は、以下に説明される情報および信号が、様々な異なる技術および技法の任意のものを使用して表され得ることを認識するであろう。例えば、以下の説明全体を通して参照され得る、データ、命令、コマンド、情報、信号、ビット、シンボル、およびチップは、特定の用途に部分的に、所望の設計に部分的に、対応する技術等に部分的に依存して、電圧、電流、電磁波、磁界または磁気粒子、光場または光粒子、あるいはこれらの任意の組合せによって表わされ得る。
【００２０】
[0029]  さらに、多くの態様が、例えば、コンピューティングデバイスの要素によって行われることになるアクションのシーケンスの観点から説明される。本明細書で説明される様々なアクションは、特定の回路（例えば、特定用途向け集積回路（ＡＳＩＣ））によって、１つまたは複数のプロセッサによって実行されているプログラム命令によって、または両方の組合せによって、行われることができることが認識されるであろう。加えて、本明細書で説明される態様の各々に関して、対応する形態の任意のそのような態様は、例えば、説明されたアクションを行う「ように構成された論理」としてインプリメントされ得る。
【００２１】
[0030]  図１は、例となるワイヤレスネットワーク環境を例示するシステムレベルの図であり、例として、「プライマリ（primary）」無線アクセス技術（ＲＡＴ）システム１００と、「競合（competing）」ＲＡＴシステム１５０とを含むものとして示されている。各システムは、一般にワイヤレスリンクを介して受信および／または送信することが可能な異なるワイヤレスノードから成り得、様々なタイプの通信に関連した情報（例えば、音声、データ、マルチメディアサービス、関連する制御シグナリング、等）を含む。プライマリＲＡＴシステム１００は、ワイヤレスリンク１３０を介して互いに通信しているアクセスポイント１１０およびアクセス端末１２０を含むものとして示されている。競合ＲＡＴシステム１５０は、別個のワイヤレスリンク１３２を介して互いに通信している２つの競合ノード１５２を含むものとして示されており、同様に１つまたは複数のアクセスポイント、アクセス端末、または他のタイプのワイヤレスノードを含み得る。例として、プライマリＲＡＴシステム１００のアクセスポイント１１０およびアクセス端末１２０は、ロングタームエボリューション（ＬＴＥ）技術にしたがうワイヤレスリンク１３０を介して通信し得、一方、競合ＲＡＴシステム１５０の競合ノード１５２は、Ｗｉ−Ｆｉ技術にしたがうワイヤレスリンク１３２を介して通信し得る。各システムが、地理的領域全体にわたって分散した任意の数のワイヤレスノードをサポートすることができ、例示されているエンティティが例示目的のためだけに示されていることが認識されるであろう。
【００２２】
[0031]  別途記載されていない限り、「アクセス端末」および「アクセスポイント」という用語は、任意の特定のＲＡＴに固有または限定されるように意図されたものではない。一般に、アクセス端末は、ユーザが通信ネットワークを介して通信することを可能にする任意のワイヤレス通信デバイス（例えば、モバイルフォン、ルータ、パーソナルコンピュータ、サーバ、エンターテインメントデバイス、ＩＯＴ（Internet of Things）／ＩＯＥ（Internet of Everything）可能なデバイス、車載通信（in-vehicle communication）デバイス、等）であり得、異なるＲＡＴ環境では、ユーザデバイス（ＵＤ）、モバイル局（ＭＳ）、加入者局（ＳＴＡ）、ユーザ機器（ＵＥ）、等と代替的に称されることもある。同様に、アクセスポイントは、そのアクセスポイントが配備されるネットワークに依存するアクセス端末と通信している１つまたはいくつかのＲＡＴにしたがって動作し得、基地局（ＢＳ）、ネットワークノード、ノードＢ、進化型ノードＢ（ｅＮＢ）、等と代替的に称されることもある。このようなアクセスポイントは、例えば、スモールセルアクセスポイントに対応し得る。「スモールセル」は、一般に、フェムトセル、ピコセル、マイクロセル、ワイヤレスローカルエリアネットワーク（ＷＬＡＮ）アクセスポイント、他のスモールカバレッジエリアアクセスポイント、等を含み得る、またはそうでない場合はそのように称されることもある、あるクラスの低電力のアクセスポイントを指す。スモールセルは、地方の環境では近隣内の少ないブロックまたは数スクエアマイルをカバーすることができるマクロセルカバレッジを補うために配備され得、それにより、改善されたシグナリング、漸増的な容量の増大、より豊かなユーザエクスペリエンス、等につながる。
【００２３】
[0032]  図１に戻ると、プライマリＲＡＴシステム１００によって使用されるワイヤレスリンク１３０と競合ＲＡＴシステム１５０によって使用されるワイヤレスリンク１３２とは、共有通信媒体１４０を介して動作し得る。このタイプの通信媒体は、（例えば、１つまたは複数のキャリアにわたる１つまたは複数のチャネルを包含する）１つまたは複数の周波数、時間、および／または空間通信リソースから成り得る。例として、通信媒体１４０は、アンライセンスド周波数帯域の少なくとも一部分に対応し得る。異なるライセンスド周波数帯域は、（例えば、米国の連邦通信委員会（ＦＣＣ：Federal Communications Commission）のような政府機関による）ある特定の通信用に予約されているが、いくつかのシステム、特に、スモールセルアクセスポイントを用いるものは、Ｗｉ−Ｆｉを含むＷＬＡＮ技術によって使用されるＵ−ＮＩＩ（Unlicensed National Information Infrastructure）帯域のようなアンライセンスド周波数帯域へと動作を拡張している。
【００２４】
[0033]  通信媒体１４０の共有使用により、ワイヤレスリンク１３０とワイヤレスリンク１３２との間のクロスリンク干渉（cross-link interference）の可能性が存在する。さらに、いくつかのＲＡＴおよびいくつかの管轄（jurisdictions）は、通信媒体１４０へのアクセスのために、コンテンション（contention）または「リッスンビフォアトーク（ＬＢＴ：Listen Before Talk）」を必要とし得る。例として、各デバイスがそれ自身の送信のために共有通信媒体を差し押さえる（seizing）（および、いくつかのケースでは予約する）前に、その通信媒体上に他のトラフィックがないことを感知する媒体を介して検証（verify）する、クリアチャネルアセスメント（ＣＣＡ：Clear Channel Assessment）プロトコルが使用され得る。いくつかの設計において、ＣＣＡプロトコルは、ＲＡＴ内およびＲＡＴ間トラフィックに通信媒体を譲る（yield）ための別個のＣＣＡプリアンブル検出（ＣＣＡ−ＰＤ：CCA Preamble Detection）およびＣＣＡエネルギー検出（ＣＣＡ−ＥＤ：CCA Energy Detection）メカニズムをそれぞれ含み得る。例えば、欧州電気通信規格協会（ＥＴＳＩ）は、アンライセンスド周波数帯域のようなある特定の通信媒体上で、すべてのデバイスに対してそれらのＲＡＴにかかわらずコンテンションを義務付ける（mandate）。
【００２５】
[0034]  以下により詳細に説明されるように、アクセスポイント１１０および／またはアクセス端末１２０は、上で簡潔に説明されたオペレータ識別技法を提供する、またはそうではない場合それをサポートするように、本明細書での教示にしたがって様々に構成され得る。例えば、アクセスポイント１１０は、基準シグナリングマネジャ（reference signaling manager）１１２を含み得、アクセス端末１２０は、基準シグナリングマネジャ１２２を含み得る。基準シグナリングマネジャ１１２および／または基準シグナリングマネジャ１２２は、通信媒体１４０上での異なるオペレータの識別を管理するように異なる方法で構成され得る。
【００２６】
[0035]  図２は、アクセスポイント１１０／アクセス端末１２０と競合ＲＡＴシステム１５０との間でのコンテンションベースのアクセスを容易にするために通信媒体１４０上でプライマリＲＡＴシステム１００のためにインプリメントされ得る、例となる仮想の時分割複信（ＴＤＤ）フレーム構造を例示する。例示目的のために、アクセスポイント１１０（ＡＰ−１）が、同様のフレーム構造にしたがって動作する別のアクセスポイント２１０（ＡＰ−２）を含む、より大きい近隣の一部として示されているが、これら２つのフレーム構造は、タイミング、構成、固定対可変のサブフレーム指定、等を含む、様々な方法で異なり得ることが認識されるであろう。しかしながら、アクセスポイント１１０およびアクセスポイント２１０は、異なるオペレータによって提供され、アクセスポイント１１０は第１のオペレータＡ（ＯＰ−Ａ）に対応し、アクセスポイント２１０は第２のオペレータＢ（ＯＰ−Ｂ）に対応する。
【００２７】
[0036]  例示されているフレーム構造は、一連の無線フレーム（ＲＦ）を含み、それらは、システムフレーム番号数秘学（numerology）（ＲＦ Ｎ、Ｎ＋１、Ｎ＋２、等）にしたがって番号付けされ、それぞれのサブフレーム（ＳＦ）へと分割されており、それらもまた、参照のために番号付けされ得る（例えば、ＳＦ０、ＳＦ１、等）。例として、ＬＴＥフレーム構造は、各々１０個のサブフレームから成る１０２４個の番号付けされた無線フレームへと分割されるシステムフレームを含み、それらは、共にシステムフレームサイクル（例えば、１ｍｓのサブフレームを有する１０ｍｓの無線フレームの場合１０．２４ｓ続く）を構成する。フレーム構造の使用は、より多くのアドホックシグナリング技法よりも自然で効率的なデバイス間の調整（coordination）を提供し得る。
【００２８】
[0037]  図２の例となるフレーム構造は、各サブフレームが、ダウンリンク（Ｄ）、アップリンク（Ｕ）、または特殊（Ｓ）サブフレーム（special (S) subframe）として異なる時間に様々に動作し得るＴＤＤである。一般に、ダウンリンクサブフレームは、アクセスポイント１１０からアクセス端末１２０へのダウンリンク情報を送信するために予約され、アップリンクサブフレームは、アクセス端末１２０からアクセスポイント１１０へのアップリンク情報を送信するために予約され、特殊サブフレームは、ガード期間（guard period）だけ分離したダウンリンク部分とアップリンク部分とを含み得る。ダウンリンク、アップリンク、および特殊サブフレームの異なる配列は、異なるＴＤＤ構成と称されることもある。上記ＬＴＥの例に戻ると、ＬＴＥフレーム構造のＴＤＤ変形物は、７個のＴＤＤ構成（ＴＤＤ構成０〜ＴＤＤ構成６）を含み、各構成は、ダウンリンク、アップリンク、および特殊サブフレームの異なる配列を有する。例えば、いくつかのＴＤＤ構成は、より多くのダウンリンクサブフレームを有し得、いくつかは、異なるトラフィックシナリオを適応させるために、より多くのアップリンクサブフレームを有し得る。図２の例示されている例では、ＬＴＥのＴＤＤ構成３と同様であるＴＤＤ構成が用いられている。用いられる特定のＴＤＤ構成は、システム情報ブロック（ＳＩＢ）メッセージ、制御領域におけるＴＤＤフレームフォーマットを示すための新たな物理チャネル、または同様のもの（例えば、ＬＴＥではＳＩＢ−１メッセージ）を使用してアクセスポイント１１０によってブロードキャストされ得る。
【００２９】
[0038]  各ＴＤＤ構成は異なるが、すべてのＴＤＤ構成にわたって同じである１つまたは複数のサブフレームがあり得る。これらのサブフレームは、本明細書ではアンカーサブフレーム（anchor subframes）と称される。上記ＬＴＥの例に再度戻ると、ＴＤＤ構成ＴＤＤ構成０〜ＴＤＤ構成６の各々にわたる各無線フレームでは、サブフレームＳＦ０はダウンリンクサブフレームであり、ＳＦ１は特殊サブフレームであり、ＳＦ２はアップリンクサブフレームであり、ＳＦ５はダウンリンクサブフレームである。例示されている例では、アンカーサブフレームは、各無線フレームのサブフレームＳＦ０、ＳＦ１、ＳＦ２、およびＳＦ５に同様に対応するが、特定のアンカーキャリア指定が、異なるシステムによって変わり得ることが認識されるであろう。
【００３０】
[0039]  図２の例となるフレーム構造は、通信媒体１４０にアクセスするためのコンテンションプロシージャにより、任意の所与の事例（instance）では各サブフレームがプライマリＲＡＴシグナリングによって占有されることも占有されないこともあるという点で仮想である。一般に、アクセスポイント１１０またはアクセス端末１２０が所与のサブフレームのためのコンテンションに勝てない場合、そのサブフレームは沈黙化（silenced）され得る。
【００３１】
[0040]  図２にさらに例示されているように、１つまたは複数のサブフレームが、強化型発見基準シグナリング（ｅＤＲＳ：Enhanced Discovery Reference Signaling）と本明細書では称されるものを含むように指定され得る。ｅＤＲＳは、システム動作を容易にするための制御シグナリングを選択伝達するように構成され得る。制御シグナリングは、タイミング同期、システム捕捉、干渉測定（例えば、無線リソース測定（ＲＲＭ：Radio Resource Measurements）／無線リンク測定（ＲＬＭ：Radio Link Measurements））、トラッキングループ（tracking loops）、利得制御（例えば、自動利得制御（ＡＧＣ：Automatic Gain Control）、ページング、等に関連する情報を含み得る。ｅＤＲＳは、各無線フレームの指定された（単数または複数の）サブフレームにおいて周期的（例えば、１０ｍｓごと）に送信のためにスケジューリングされ得る。例えば、ｅＤＲＳは、条件 ＳＦＮ ｍｏｄ ＴDRS＝０（例として第１のサブフレームＳＦ０として例示されている）を満たす各サブフレームにおける周期性（ＴDRS）にしたがって送信のためにスケジューリングされ得る。いくつかの配備では、アクセスポイント１１０は、通信媒体１４０へのアクセスのために競わずに（without contending for access）、指定されたｅＤＲＳサブフレームを自動的に送信し得る。しかしながら、他の配備では、アクセスポイント１１０は、指定されたｅＤＲＳサブフレームを送信するために通信媒体１４０へのアクセスのために競うことが必要とされ得る。
【００３２】
[0041]  ネットワーク検出を容易にすることを助けるために、ｅＤＲＳは、他のシグナリングの中では、本明細書ではオペレータ識別子基準信号（ＯＲＳ）と称されるものを含み得る。アクセスポイント１１０およびアクセスポイント２１０は、例えば、それらのそれぞれのＯＲＳへと組み込まれた、（例えば、明示的または暗黙的に、特定の公衆陸上移動ネットワーク識別子（ＰＬＭＮ ＩＤ）または同様のものにマップする（mapping）、またはそうでない場合対応する）異なるオペレータ識別子値を送信し得る。アクセス端末１２０は、それゆえ、アクセスポイント１１０のような１つのオペレータに属するアクセスポイントと、アクセスポイント２１０のような別のオペレータに属するアクセスポイントを区別することができ得る。このようにして、アクセス端末１２０は、初期捕捉中に他のオペレータからのセルをより良好に回避し、初期捕捉中に高速周波数スキャンを行い（例えば、現在のチャネル上のセルが別のオペレータに属するとわかった場合に別のチャネルに移る）、異なるオペレータのセルへのハンドオーバを回避する、等を行うことができ得る。
【００３３】
[0042]  図３は、所与のｅＤＲＳサブフレームの例となるＯＲＳ構成を例示するリソースマップ図である。この例において、ＯＲＳは、関連付けられたアクセスポイント、すなわちアクセスポイント１１０またはアクセスポイント２１０のそれぞれのオペレータ識別子（例えば、ＰＬＭＮ ＩＤ）が組み込まれており、信頼できる検出のための時間および周波数ダイバーシティを提供するためにｅＤＲＳサブフレームにわたって散在している。例示されている例では、リソースブロック（ＲＢ）ごとに８個のリソースエレメント（ＲＥ）のセットがＯＲＳに割り振られている。しかしながら、これは例示目的のためだけに示されており、異なる構成では異なる数のリソースエレメントが、所望の場合、所与の適用例のために利用され得ることが認識されるであろう。リソースエレメントの密度および構成は、セル固有基準信号（ＣＲＳ：Cell-Specific Reference Signal）のそれに類似し得、例えば、１ポートのＣＲＳ設計を実質的に反映（mirror）する構成では８個のリソースエレメントが割り振られ、２ポートのＣＲＳ設計を実質的に反映する構成では１６個のリソースエレメントが割り振られる、というようなものであり得る。ＯＲＳは、また、単一のアンテナポートまたは複数のアンテナポートから送信され得る。
【００３４】
[0043]  用いられる特定のリソースエレメントのロケーションはアクセスポイント１１０および２１０によって異なり得る。例として、用いられる特定のリソースエレメントのロケーションは、アクセスポイント１１０および２１０の各々のそれぞれのセルアイデンティティ（cell identities）（例えば、物理セル識別子（ＰＣＩ：Physical Cell Identifier））に応じて選択され得る。別の例として、用いられる特定のリソースエレメントのロケーションは、それぞれのセルアイデンティティ、ならびにアクセスポイント１１０および２１０の各々のそれぞれのオペレータ識別子（例えば、ＰＬＭＮ ＩＤ）に応じて決定され得る。よって、いくつかの設計では、アクセス端末１２０が、リソースエレメントの特定のセット（例えば、好ましい（preferred）オペレータのために指定されたもの）をモニタし、相関を探すことによってオペレータ識別子を迅速に決定することができるように、リソースエレメントのセットのロケーションは、オペレータ識別子を組み込むために使用され得る。
【００３５】
[0044]  ＯＲＳを送信するために使用されるリソースエレメントのセットは、また、アクセスポイント１１０および２１０のために（例えば、異なるスクランブリングシーケンス（scrambling sequences）にしたがって）異なってスクランブルされ得る。例として、それらは、アクセスポイント１１０および２１０の各々のそれぞれのオペレータ識別子（例えば、ＰＬＭＮ ＩＤ）に応じてスクランブルされ得る。別の例として、それらは、それぞれのオペレータ識別子、ならびにアクセスポイント１１０および２１０の各々のそれぞれのセルアイデンティティ（例えば、ＰＣＩ）に応じてスクランブルされ得る。よって、いくつかの設計では、アクセス端末１２０が、（例えば、好ましいオペレータのためのそれぞれのスクランブリングシーケンスを使用して）リソースエレメントをデスクランブル（descrambling）し、相関を探すことによってオペレータ識別子を迅速に決定することができるように、スクランブリングは、オペレータ識別子を組み込むために使用され得る。
【００３６】
[0045]  アクセス端末１２０は、それに応じておよび異なる方法で、ＯＲＳに基づいて、アクセスポイント１１０を、第１のオペレータＡ（ＯＰ−Ａ）に対応するものとして、アクセスポイント２１０を、第２のオペレータＢ（ＯＰ−Ｂ）に対応するものとして、識別し得る。この識別に基づいて、アクセス端末１２０は、第１のオペレータＡ（ＯＰ−Ａ）および第２のオペレータＢ（ＯＰ−Ｂ）の両方に関連付けられたプロビジョンニングされた優先度（provisioned priority）にしたがって測定を行い得る。例えば、捕捉すべきセルについて検索するとき、アクセス端末１２０は、第１のオペレータＡ（ＯＰ−Ａ）が第２のオペレータＢ（ＯＰ−Ｂ）よりも高いシステム捕捉のための優先度を有するときに、それに対応するＯＲＳ測定から開始し得る。
【００３７】
[0046]  図４は、所与のｅＤＲＳサブフレームの別の例となるＯＲＳ構成を例示する別のリソースマップ図である。この設計は、それが追加の互換性のために１つまたは複数のレガシーチャネルを選出（co-opt）するように構成されることを除いて、図３のそれと類似している。例示されている例において、用いられているレガシーチャネルは、チャネル状態情報基準信号（ＣＳＩ−ＲＳ：Channel State Information Reference Signal）である。この方法では、アクセスポイント１１０は、例えば、ＣＳＩ−ＲＳの特定の構成をスケジューリングし、指定されたリソースエレメントをＯＲＳのために使用し得る。
【００３８】
[0047]  示されているように、マルチポートＣＳＩ−ＲＳは、十分なリソースエレメントの割振りを達成するように構成され得、アクセス端末１２０は、異なる構成の指定にわたってＯＲＳ情報を集約するように構成される。例えば、アクセスポイント１１０は、（レガシー）８ポートのＣＳＩ−ＲＳ送信の同等物（すなわち、レガシーの８ポートのＣＳＩ−ＲＳのリソースエレメントを使用するが、単一ポートとして送信される新たなＣＳＩ−ＲＳ）を占有するために、１ポートのＣＳＩ−ＲＳ送信を複製し得る。アクセスポイント１１０は、また、ＣＳＩ−ＲＳを隣接するシンボル（例としてシンボル９および１０として示されている）に制限し得る。例えば、アクセスポイント１１０は、許可されたＣＳＩ−ＲＳ構成を、レガシーＣＳＩ−ＲＳからの３つの８ポート構成（例示されている例では構成１、２、および３）にマッチするように限定し得る。これらの構成のうちの１つは、ＣＳＩ−ＲＳの実際の送信のために使用され得る（例えば、アクセスポイント１１０は構成１のリソースを使用してＣＳＩ−ＲＳを送信し得る）。
【００３９】
[0048]  したがって、上記説明から認識されることになるように、一般に、ＯＲＳは、一意のチャネルだけでなく、再利用される（repurposed）レガシーチャネル（例えば、ＣＲＳまたはＣＳＩ−ＲＳ）にも対応し、またいくつかの設計では、修正されたレガシーチャネル（例えば、強化されたＣＳＩ−ＲＳ）に対応し得る。高密度送信は、レガシーチャネルを強化することによって達成され得る。
【００４０】
[0049]  一方で、アクセス端末１２０は、周波数スキャニング／初期捕捉、ローミング、ＲＲＭ、等を含む、異なる方法でＯＲＳを利用し得る。
【００４１】
[0050]  図５は、本明細書で提供されるＯＲＳシグナリングによって容易にされるアクセス端末動作の例となる態様を例示するシグナリングフロー図である。この例において、アクセス端末１２０は、例として第１のオペレータＡ（ＯＰ−Ａ）に属する「好ましい」アクセスポイント１１０として示されている、好ましいオペレータに関連付けられたアクセスポイントの近くで、また、例として第２のオペレータＢ（ＯＰ−Ｂ）に属する「好ましくない」アクセスポイント２１０として示されている、異なるオペレータに関連付けられた別のアクセスポイントの近くでも、動作している。例示されているシグナリングは、関連する部分のみが示された一般化であり、所与のインプリメンテーションまたはシナリオの場合、ある特定の例示されているシグナリングが省略され得る一方で他のシグナリングが追加され得ることが認識されるであろう。
【００４２】
[0051]  示されているように、同期信号５０２（例えば、プライマリ同期信号（ＰＳＳ：Primary Synchronization Signal）／セカンダリ同期信号（ＳＳＳ：Secondary Synchronization Signal））を捕捉し、アクセスポイント２１０のためのセル識別子（例えば、ＰＣＩ）を決定すると（ブロック５０４）、アクセス端末１２０は、好ましいオペレータの識別子に基づいて（例えば、ＰＣＩおよびＯＰ−Ａのための所望のＰＬＭＮ−ＩＤスクランブリングシーケンスに基づいて）様々なリソースエレメント上のＯＲＳ５０６のシグナリングエネルギーを測定しようと試み得る（ブロック５０８）。測定されたシグナリングエネルギーと低い相関性がある場合、アクセス端末１２０は、別のチャネルに移り得（ブロック５１０）、所望の場合、好ましいアクセスポイント１１０に関して追加の処理を行い得る（オプションのブロック５１２）。これは、アクセス端末１２０がオペレータ識別子を明示的に決定することを必要とせずに（例えば、ＰＬＭＮ ＩＤを得るためにＳＩＢ復号を必要とせずに）、高速周波数スキャンすることを可能にする。
【００４３】
[0052]  すなわち、検出されたアクセスポイントが所望のオペレータに属さない場合、アクセス端末１２０は、さらなる情報を復号する時間を費やす必要はなく、別のチャネルに迅速に移ることができる。それどころか、アクセスポイント１２０がチャネルのすべてをスキャンし終えた後に所望のオペレータ識別子を有するアクセスポイントを見つけなかった場合、それは、別のオペレータ（例えば、ローミングパートナ）からのチャネルのうちの１つと同期し、（例えば、ＳＩＢを介して）それの対応するオペレータ識別子を復号し得る。いずれのケースでも、アクセス端末１２０は、ＯＲＳを使用して様々なＲＲＭ測定を行い得る。
【００４４】
[0053]  図６は、上述された技法にしたがう例となる通信の方法を例示するフロー図である。方法６００は、例えば、共有通信媒体上で動作するアクセスポイント（例えば、図１に例示されているアクセスポイント１１０）によって行われ得る。例として、通信媒体は、ＬＴＥ技術デバイスとＷｉ−Ｆｉ技術デバイスとの間で共有されるアンライセンスド無線周波数帯域上に１つまたは複数の時間、周波数、または空間リソースを含み得る。
【００４５】
[0054]  示されているように、アクセスポイントは、アクセスポイントに関連付けられたオペレータのためのオペレータ識別子を決定し（ブロック６０２）、オペレータ識別子が組み込まれたオペレータ識別子基準信号を搬送するようにリソースエレメントのセットを構成し得る（ブロック６０４）。アクセスポイントは、次いで、構成されたリソースエレメントのセットを使用してオペレータ識別子基準信号を送信し得る（ブロック６０６）。
【００４６】
[0055]  上でより詳細に説明されたように、オペレータ識別子は、例えば、ＰＬＭＮ ＩＤに対応し得る。リソースエレメントのセットは、例えば、ｅＤＲＳサブフレームの一部を形成し得る。リソースエレメントのセットは、また、対応するリソースブロックに少なくとも８個のリソースエレメントを備え得る。
【００４７】
[0056]  いくつかの設計において、構成すること（ブロック６０４）は、例えば、オペレータ識別子に基づいてリソースエレメントのセットを選択することを備え得る。選択することは、アクセスポイントに関連付けられたセル識別子にさらに基づき得る。加えて、または代替として、構成すること（ブロック６０４）は、例えば、オペレータ識別子に基づいてリソースエレメントのセットをスクランブルすることを備え得る。スクランブルすることは、また、アクセスポイントに関連付けられたセル識別子にさらに基づき得る。加えて、または別の代替として、構成すること（ブロック６０４）は、例えば、別の基準信号のためにリソースエレメントのセットをスケジューリングすることと、スケジューリングされたリソースエレメントのセットをオペレータ識別子基準信号のために再利用することとを備え得る。その別の基準信号は、例えば、ＣＳＩ−ＲＳに対応し得る。
【００４８】
[0057]  図７は、上述された技法にしたがう別の例となる通信の方法を例示するフロー図である。方法７００は、例えば、共有通信媒体上で動作するアクセス端末（例えば、図１に例示されているアクセス端末１２０）によって行われ得る。例として、通信媒体は、ＬＴＥ技術デバイスとＷｉ−Ｆｉ技術デバイスとの間で共有されるアンライセンスド無線周波数帯域上に１つまたは複数の時間、周波数、または空間リソースを含み得る。
【００４９】
[0058]  示されているように、アクセス端末は、リソースエレメントのセット上でアクセスポイントからのシグナリングを受信し（ブロック７０２）、オペレータ識別子基準信号についてシグナリングをモニタし得る（ブロック７０４）。オペレータ識別子基準信号に基づいて、アクセス端末は、アクセスポイントに関連付けられたオペレータのためのオペレータ識別子を決定し得る（ブロック７０６）。
【００５０】
[0059]  上でより詳細に説明されたように、オペレータ識別子は、例えば、ＰＬＭＮ ＩＤに対応し得る。リソースエレメントのセットは、例えば、ｅＤＲＳサブフレームの一部を形成し得る。リソースエレメントのセットは、また、例えば、対応するリソースブロックに少なくとも８個のリソースエレメントを備え得る。
【００５１】
[0060]  いくつかの設計において、モニタすること（ブロック７０４）は、例えば、好ましいオペレータ識別子に基づいて、モニタするためのリソースエレメントのセットを選択することを備え得る。選択することは、アクセスポイントに関連付けられたセル識別子にさらに基づき得る。加えて、または代替として、モニタすること（ブロック７０４）は、例えば、好ましいオペレータ識別子に基づいてリソースエレメントのセット上のシグナリングをデスクランブルすることを備え得る。デスクランブルすることは、また、アクセスポイントに関連付けられたセル識別子にさらに基づき得る。加えて、または別の代替として、モニタすること（ブロック７０４）は、例えば、別の基準信号のためにスケジューリングされるものとしてリソースエレメントのセットを識別することと、オペレータ識別子基準信号について、スケジューリングされたリソースエレメントのセットをモニタすることとを備え得る。その別の基準信号は、例えば、ＣＳＩ−ＲＳに対応し得る。
【００５２】
[0061]  一般化するために、アクセスポイント１１０およびアクセス端末１２０は、基準シグナリングマネジャ１１２および基準シグナリングマネジャ１２２をそれぞれ含むものとして、関連する一部分のみが図１に示されている。しかしながら、アクセスポイント１１０およびアクセス端末１２０が、本明細書で説明されているオペレータ識別技法を提供する、またはそうでない場合それをサポートするように様々な方法で構成され得ることが認識されるであろう。
【００５３】
[0062]  図８は、より詳細にプライマリＲＡＴシステム１００のアクセスポイント１１０およびアクセス端末１２０の例となるコンポーネントを例示するデバイスレベルの図である。示されているように、アクセスポイント１１０およびアクセス端末１２０は各々、概して、少なくとも１つの指定されたＲＡＴを介して他のワイヤレスノードと通信するためのワイヤレス通信デバイス（通信デバイス８３０および８５０によって表されている）を含み得る。通信デバイス８３０および８５０は、指定されたＲＡＴ（例えば、メッセージ、インジケーション、情報、パイロット、等）にしたがって、信号を送信および符号化するために、および反対に信号を受信および復号するために、様々に構成され得る。
【００５４】
[0063]  通信デバイス８３０および８５０は、例えば、それぞれのプライマリＲＡＴトランシーバ８３２および８５２のような、１つまたは複数のトランシーバと、いくつかの設計では、（オプションの）コロケートされた（co-located）セカンダリＲＡＴトランシーバ８３４および８５４（例えば、競合ＲＡＴシステム１５０によって用いられるＲＡＴに対応）とをそれぞれ含み得る。本明細書で使用される場合、「トランシーバ」は、送信機回路、受信機回路、またはそれらの組合せを含み得るが、すべての設計で送信および受信の機能性の両方を提供する必要はない。例えば、低い機能性の受信機回路は、完全通信を提供することが必須でないときに、コストを低減するためにいくつかの設計で用いられ得る（例えば、低レベルのスニフィング（sniffing）のみを提供する無線チップまたは同様の回路）。さらに、本明細書で使用される場合、「コロケートされた」（例えば、無線機、アクセスポイント、トランシーバ、等）という用語は、様々な配列のうちの１つを指し得る。例えば、同じ筐体の中にあるコンポーネント、同じプロセッサによってホストされるコンポーネント、互いの定められた距離内にあるコンポーネント、および／またはインターフェース（例えば、イーサネット（登録商標）スイッチ）が任意の必須のコンポーネント間通信（例えば、メッセージング）のレイテンシ要件を満たす場合にインターフェースを介して接続されるコンポーネント。
【００５５】
[0064]  アクセスポイント１１０およびアクセス端末１２０は各々、また、一般に、それらのそれぞれの通信デバイス８３０および８５０の動作を制御する（例えば、指示する、修正する、イネーブルにする、ディセーブルにする、等）ための通信制御器（通信制御器８４０および８６０によって表されている）を含み得る。通信制御器８４０および８６０は、１つまたは複数のプロセッサ８４２および８６２と、プロセッサ８４２および８６２に結合された１つまたは複数のメモリ８４４および８６４とをそれぞれ含み得る。メモリ８４４および８６４は、データ、命令、またはそれらの組合せを、搭載されたキャッシュメモリとして、別個のコンポーネントとして、組合せ、等のいずれかで、記憶するように構成され得る。プロセッサ８４２および８６２とメモリ８４４および８６４とは、スタンドアロン通信コンポーネントであり得るか、またはアクセスポイント１１０およびアクセス端末１２０のそれぞれのホストシステムの機能性の一部であり得る。
【００５６】
[0065]  基準シグナリングマネジャ１１２および基準シグナリングマネジャ１２２が、異なる方法でインプリメントされ得ることが認識されるであろう。いくつかの設計では、それらに関連付けられた機能性のいくつかまたはすべては、少なくとも１つのプロセッサ（例えば、プロセッサ８４２のうちの１つまたは複数、および／またはプロセッサ８６２のうちの１つまたは複数）、少なくとも１つのメモリ（例えば、メモリ８４４のうちの１つまたは複数、および／またはメモリ８６４のうちの１つまたは複数）、少なくとも１つのトランシーバ（例えば、トランシーバ８３２および８３４のうちの１つまたは複数、および／またはトランシーバ８５２および８５４のうちの１つまたは複数）、またはこれらの組合せによって、またはそうでない場合その指示で、インプリメントされ得る。他の設計では、それらに関連付けられた機能性のいくつかまたはすべては、一連の相互に関連する機能モジュールとしてインプリメントされ得る。
【００５７】
[0066]  したがって、図８のコンポーネントが、図１〜図７に関して上述された動作を行うために使用され得ることが認識されるであろう。例えば、アクセスポイント１１０は、プロセッサ８４２およびメモリ８４４を介して、アクセスポイント１１０に関連付けられたオペレータのためのオペレータ識別子を決定し、プロセッサ８４２およびメモリ８４４を介して、オペレータ識別子が組み込まれたオペレータ識別子基準信号を搬送するようにリソースエレメントのセットを構成し得る。アクセスポイント１１０は、次いで、プライマリＲＡＴトランシーバ８３２を介して、構成されたリソースエレメントのセットを使用してオペレータ識別子基準信号を送信し得る。
【００５８】
[0067]  別の例として、アクセス端末１２０は、プライマリＲＡＴトランシーバ８５２を介して、リソースエレメントのセット上でアクセスポイント１１０からのシグナリングを受信し、プロセッサ８６２およびメモリ８６４を介して、オペレータ識別子基準信号についてシグナリングをモニタし得る。オペレータ識別子基準信号に基づいて、アクセス端末は、プロセッサ８６２およびメモリ８６４を介して、アクセスポイント１１０に関連付けられたオペレータのためのオペレータ識別子を決定し得る。
【００５９】
[0068]  図９は、一連の相互に関連する機能モジュールとして表されている基準シグナリングマネジャ１１２をインプリメントするための例となるアクセスポイント装置を例示している。例示されている例において、装置９００は、決定するためのモジュール９０２、構成するためのモジュール９０４、および送信するためのモジュール９０６を含む。
【００６０】
[0069]  決定するためのモジュール９０２は、アクセスポイントに関連付けられたオペレータのためのオペレータ識別子を決定するように構成され得る。構成するためのモジュール９０４は、オペレータ識別子が組み込まれたオペレータ識別子基準信号を搬送するようにリソースエレメントのセットを構成するように構成され得る。送信するためのモジュールは、構成されたリソースエレメントのセットを使用してオペレータ識別子基準信号を送信するように構成され得る。
【００６１】
[0070]  上でより詳細に説明されたように、オペレータ識別子は、例えば、ＰＬＭＮ ＩＤに対応し得る。リソースエレメントのセットは、例えば、ｅＤＲＳサブフレームの一部を形成し得る。リソースエレメントのセットは、また、対応するリソースブロックに少なくとも８個のリソースエレメントを備え得る。
【００６２】
[0071]  いくつかの設計において、構成するためのモジュール９０４は、オペレータ識別子に基づいてリソースエレメントのセットを選択し得る。選択することは、アクセスポイントに関連付けられたセル識別子にさらに基づき得る。加えて、または代替として、構成するためのモジュール９０４は、オペレータ識別子に基づいてリソースエレメントのセットをスクランブルし得る。スクランブルすることは、また、アクセスポイントに関連付けられたセル識別子にさらに基づき得る。加えて、または別の代替として、構成するためのモジュール９０４は、別の基準信号のためにリソースエレメントのセットをスケジューリングし、スケジューリングされたリソースエレメントのセットをオペレータ識別子基準信号のために再利用し得る。その別の基準信号は、例えば、ＣＳＩ−ＲＳに対応し得る。
【００６３】
[0072]  図１０は、一連の相互に関連する機能モジュールとして表されている基準シグナリングマネジャ１２２をインプリメントするための例となるアクセス端末装置を例示している。例示されている例において、装置１０００は、受信するためのモジュール１００２、モニタするためのモジュール１００４、および決定するためのモジュール１００６を含む。
【００６４】
[0073]  受信するためのモジュール１００２は、リソースエレメントのセット上でアクセスポイントからのシグナリングを受信し得る。モニタするためのモジュール１００４は、オペレータ識別子基準信号についてシグナリングをモニタし得る。オペレータ識別子基準信号に基づいて、決定するためのモジュール１００６は、アクセスポイントに関連付けられたオペレータのためのオペレータ識別子を決定し得る。
【００６５】
[0074]  上でより詳細に説明されたように、オペレータ識別子は、例えば、ＰＬＭＮ ＩＤに対応し得る。リソースエレメントのセットは、例えば、ｅＤＲＳサブフレームの一部を形成し得る。リソースエレメントのセットは、また、例えば、対応するリソースブロックに少なくとも８個のリソースエレメントを備え得る。
【００６６】
[0075]  いくつかの設計において、モニタするためのモジュール１００４は、好ましいオペレータ識別子に基づいて、モニタするためのリソースエレメントのセットを選択し得る。選択することは、アクセスポイントに関連付けられたセル識別子にさらに基づき得る。加えて、または代替として、モニタするためのモジュール１００４は、好ましいオペレータ識別子に基づいてリソースエレメントのセット上のシグナリングをデスクランブルし得る。デスクランブルすることは、また、アクセスポイントに関連付けられたセル識別子にさらに基づき得る。加えて、または別の代替として、モニタするためのモジュール１００４は、別の基準信号のためにスケジューリングされるものとしてリソースエレメントのセットを識別し、オペレータ識別子基準信号について、スケジューリングされたリソースエレメントのセットをモニタし得る。その別の基準信号は、例えば、ＣＳＩ−ＲＳに対応し得る。
【００６７】
[0076]  図９〜図１０のモジュールの機能性は、本明細書での教示と矛盾しない様々な方法でインプリメントされ得る。いくつかの設計では、これらのモジュールの機能性は、１つまたは複数の電気コンポーネントとしてインプリメントされ得る。いくつかの設計では、これらのブロックの機能性は、１つまたは複数のプロセッサコンポーネントを含む処理システムとしてインプリメントされ得る。いくつかの設計では、これらのモジュールの機能性は、例えば、１つまたは複数の集積回路（例えば、ＡＳＩＣ）の少なくとも一部分を使用してインプリメントされ得る。本明細書で説明される場合、集積回路は、プロセッサ、ソフトウェア、他の関連するコンポーネント、またはそれらの何らかの組合せを含み得る。よって、異なるモジュールの機能性は、例えば、集積回路の異なるサブセットとして、ソフトウェアモジュールのセットの異なるサブセットとして、またはこれらの組合せとしてインプリメントされ得る。また、（例えば、集積回路の、および／またはソフトウェアモジュールのセットの）所与のサブセットが、１つより多くのモジュールのための機能性の少なくとも一部分を提供し得ることが認識されるであろう。
【００６８】
[0077]  加えて、図９〜図１０によって表されているコンポーネントおよび機能、ならびに本明細書で説明されている他のコンポーネントおよび機能は、任意の好適な手段を使用してインプリメントされ得る。そのような手段は、また、少なくとも部分的に、本明細書で教示された対応する構造を使用してインプリメントされ得る。例えば、図９〜図１０の「〜のためのモジュール」というコンポーネントと併せて上述されたコンポーネントは、また、同様に指定された「〜のための手段」という機能性に対応し得る。よって、いくつかの態様では、そのような手段のうちの１つまたは複数は、本明細書で教示されたプロセッサコンポーネント、集積回路、または他の好適な構造のうちの１つまたは複数を使用してインプリメントされ得、アルゴリズムとして含む。当業者は、上述された散文で、ならびにアクションのシーケンスで表されたアルゴリズムが擬似コードによって表され得ることを、本開示において認識するであろう。例えば、図８によって表されるコンポーネントおよび機能は、ＬＯＡＤ演算、ＣＯＭＰＡＲＥ演算、ＲＥＴＵＲＮ演算、ＩＦ−ＴＨＥＮ−ＥＬＳＥループ、等を行うためのコードを含み得る。
【００６９】
[0078]  「第１の」、「第２の」、等のような指定を使用した、本明細書中の要素へのいずれの参照も、概して、これら要素の数量または順序を限定するものではないことが理解されるべきである。むしろ、これらの指定は、２つ以上の要素または要素のインスタンスを区別する便利な方法として本明細書で使用され得る。よって、第１および第２の要素への参照は、２つの要素しかそこで用いられ得ないこと、または第１の要素が何らかの方法で第２の要素に先行しなければいけないことを意味するものではない。また、別途記載されていない限り、要素のセットは、１つまたは複数の要素を備え得る。加えて、本明細書または特許請求の範囲において使用されている「Ａ、Ｂ、またはＣのうちの少なくとも１つ」、または「Ａ、Ｂ、またはＣのうちの１つまたは複数」、または「Ａ、Ｂ、およびＣから成るグループのうちの少なくとも１つ」という形態の用語は、「ＡまたはＢまたはＣまたはこれら要素の任意の組合せ」を意味する。例えば、この用語は、Ａ、またはＢ、またはＣ、またはＡおよびＢ、またはＡおよびＣ、またはＡおよびＢおよびＣ、または２Ａ、または２Ｂ、または２Ｃ、等を含み得る。
【００７０】
[0079]  明細書および上記説明の観点から、当業者は、本明細書で開示された態様に関連して説明された様々な例示的な論理ブロック、モジュール、回路、およびアルゴリズムステップは、電子ハードウェア、コンピュータソフトウェア、またはその両方の組合せとしてインプリメントされ得ることを認識するであろう。このハードウェアとソフトウェアの互換性を明確に例示するために、様々な例示的なコンポーネント、ブロック、モジュール、回路、およびステップが、概して、それらの機能性の観点から上述されている。このような機能性が、ハードウェアとしてインプリメントされるかソフトウェアとしてインプリメントされるかは、特定の用途およびシステム全体に課せられる設計制約に依存する。当業者は、説明された機能性を、特定の用途ごとに多様な方法でインプリメントすることができるが、そのようなインプリメンテーションの判断は、本開示の範囲からの逸脱を引き起こすものとして解釈されるべきではない。
【００７１】
[0080]  したがって、例えば、装置または装置の任意のコンポーネントは、本明細書で教示された機能性を提供するように構成され得る（または動作可能にされ得る、または適応され得る）ことが認識されるであろう。これは、例えば、装置またはコンポーネントを、それが機能性を提供することになるように製造する（例えば、製作する（fabricating））ことによって、装置またはコンポーネントを、それが機能性を提供することになるようにプログラミングすることによって、または他の何らかの好適なインプリメンテーション技法の使用を通して、達成され得る。１つの例として、集積回路は、不可欠な機能性を提供するように製作され得る。別の例として、集積回路は、不可欠な機能性をサポートするように製作され、次いで不可欠な機能性を提供するように（例えば、プログラミングを介して）構成され得る。さらに別の例として、プロセッサ回路は、不可欠な機能性を提供するためのコードを実行し得る。
【００７２】
[0081]  さらに、本明細書で開示された態様に関連して説明された方法、シーケンス、および／またはアルゴリズムは、直接的にハードウェアにおいて、プロセッサによって実行されるソフトウェアモジュールにおいて、またはそれら２つの組合せで、具現化され得る。ソフトウェアモジュールは、ランダムアクセスメモリ（ＲＡＭ）、フラッシュメモリ、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、レジスタ、ハードディスク、リムーバルディスク、ＣＤ−ＲＯＭ、または当該技術分野において既知の他の任意の形態の記憶媒体、一時的または非一時的に存在し得る。実例的な記憶媒体は、プロセッサが記憶媒体から情報を読み取り、また記憶媒体に情報を書き込むことができるように、プロセッサに結合される。代替として、記憶媒体はプロセッサ（例えば、キャッシュメモリ）と一体であり得る。
【００７３】
[0082]  したがって、例えば、本開示のある特定の態様が、通信のための方法を具現化する一時的または非一時的なコンピュータ可読媒体を含むことができることもまた認識されるであろう。
【００７４】
[0083]  先の開示は様々な例示的な態様を示しているが、添付の特許請求の範囲によって定められた範囲から逸脱せずに、例示された例に対して様々な変更および修正がなされ得ることが留意されるべきである。本開示は、特定的に例示された例のみに限定されるように意図されたものではない。例えば、別途記載されていない限り、本明細書で説明された本開示の態様にしたがう方法の請求項の機能、ステップ、および／またはアクションは、任意の特定の順序で行われる必要はない。さらに、ある特定の態様は、単数形で説明され得るまたは特許請求され得るが、単数形への限定が明記されていない限り、複数形が企図されている。
【図１】
2018530948.tif 000003
【図２】
2018530948.tif 000004
【図３】
2018530948.tif 000005
【図４】
2018530948.tif 000006
【図５】
2018530948.tif 000007
【図６】
2018530948.tif 000008
【図７】
2018530948.tif 000009
【図８】
2018530948.tif 000010
【図９】
2018530948.tif 000011
【図１０】
2018530948.tif 000012
【国際調査報告】
2018530948.tif 000013
2018530948.tif 000014
2018530948.tif 000015